(57)【要約】【課題】集積包装される被包装物におけるバーコードが同一の位置に揃うように被包装物を整列させることを不要ならしめると共に、各被包装物のバーコードの読取を確実に妨げ、更に、集積包装フィルムに被包装物に関する商標、広告等の表示及び当該全被包装物についての単一のバーコードを美しく、かつ、見やすく表示する。【解決手段】該集積包装フィルムの内面における被包装物３の側面３ａに対応する部分には被包装物に関する商標、広告等の表示２５及び当該全被包装物についての単一のバーコード２７を印刷し、該表示及び単一のバーコードの内側における被包装物の全側面に対応する部分には白インキ層２９を形成し、該白インキ層の内側における被包装物の全側面に対応する部分にはアルミニウム粉を含む銀インキを白インキに混入してなる遮蔽インキ層３１を前記遮蔽手段として形成する。【選択図】図２
2018052518.tif 000002
【特許請求の範囲】
【請求項１】
集積包装された各被包装物のバーコードの読み取りを妨げるための遮蔽手段を備えさせると共に当該全被包装物についての単一のバーコードを印刷してなる透明な集積包装フィルムにおいて、
該集積包装フィルムの内面における被包装物の側面に対応する部分には被包装物に関する商標、広告等の表示及び当該全被包装物についての単一のバーコードを印刷し、
該表示及び単一のバーコードの内側における被包装物の全側面に対応する部分には白インキ層を形成し、
該白インキ層の内側における被包装物の全側面に対応する部分にはアルミニウム粉を含む銀インキを白インキに混入してなる遮蔽インキ層を前記遮蔽手段として形成したことを特徴とする集積包装フィルム。
【発明の詳細な説明】
【技術分野】
【０００１】
本発明は、集積包装フィルムに関するものであり、更に詳しくは、集積状態で販売される缶詰等の被包装物をシュリンク包装するための集積包装フィルムに係るものである。
【背景技術】
【０００２】
図３に示すように、集積包装される缶詰等の被包装物３、３・・・には、それぞれバーコード５が付されている。集積包装フィルムには集積包装内の全被包装物３、３・・・のバーコード５に対応する単一のバーコードが付されている。販売時には店舗のレジ係はバーコードスキャナー等のバーコードの読取手段により集積包装フィルムに付された単一のバーコードのみを読み取らせる。すなわち、集積包装内の各被包装物３のバーコード５が読取手段により読み取られることのないようにするために、集積包装フィルムには被包装物３、３・・・に付されたバーコード５の読取を妨げる遮蔽手段が施されている。これらの被包装物３、３・・・におけるバーコード５が図３の鎖線に示す如く同一の位置に揃うように被包装物３、３・・・を整列させたときには、集積包装フィルムにはこれら同一の位置にあるバーコード５’についてのみバーコードの読取手段による読み取りを妨げる遮蔽手段を備えさせれば足りる。
【０００３】
しかるに、截頭円錐状の被包装物においては、集積包装される被包装物３、３・・・におけるバーコード５が図３の鎖線に示す如く同一の位置に揃うように機械により被包装物３、３・・・を整列させることは不可能であり、この作業は専ら作業員の手作業に頼らざるを得ない。
【０００４】
一方、円筒状の被包装物においては、集積包装される被包装物３、３・・・におけるバーコード５が図３の鎖線に示す如く同一の位置に揃うように機械により被包装物３、３・・・を整列させることは可能である。しかるに、このような機械においては、一旦所定の姿勢に整列させた被包装物３、３・・・がコンベヤ上を送られる際にその姿勢が崩れ、バーコード５の位置が区々になることが往々にしてある。したがって、コンベヤ上を送られる被包装物の姿勢を手作業で修正する必要がある。
【０００５】
一方、本願発明者は、特開平１１−３４９０３４号公報に示す集積包装フィルムを提供している。
この集積包装フィルムは、図４、図５に示すように、透明なフィルム１には集積された各被包装物３のバーコードの読み取りを妨げる遮蔽手段７を備えさせると共に当該全被包装物についての単一のバーコード１５を印刷してなる集積包装フィルムにおいて、該フィルム１の裏面にはインキによるバーコード１５を形成し、該バーコード上には白又は白に近い色の白色インキ層１３を形成し、該白色インキ層１３上には商品識別用の色を有する色付きインキ層１１を形成してなるものである。
【０００６】
特開平１１−３４９０３４号公報に示す事例においては、色付きインキ層１１と白又は白に近い色の白色インキ層１３は、前記遮蔽手段７となるものである。また、この事例においては、該遮蔽手段７は、被包装物３、３・・・におけるバーコード５が図３の鎖線に示す如く同一の位置に揃うように被包装物３、３・・・を整列させることを前提としたものであり、該遮蔽手段７は、当該同一の位置に揃えられた被包装物のバーコード５の読取を妨げるべく、フィルム１の一部についてのみ形成されている。
【先行技術文献】
【特許文献】
【０００７】
【特許文献１】特開平１１−３４９０３４号公報
【発明の概要】
【発明が解決しようとする課題】
【０００８】
しかるに、上述の如く、集積包装される被包装物３、３・・・におけるバーコード５が図３の鎖線に示す如く同一の位置に揃うように手で被包装物３、３・・・を整列させ、あるいは、コンベヤ上を送られる被包装物の姿勢を手で修正する作業は、効率が悪く、人件費を増大させる要因となる。
【０００９】
また、近年、バーコードの読取手段の性能が著しく向上している。その結果、前記特開平１１−３４９０３４号公報に示す集積包装フィルムにおける色付きインキ層１１及び白色インキ層１３は、集積された各被包装物のバーコードの読み取りを妨げる完全な遮蔽手段とはなり得ないものとなっている。
【００１０】
本発明は、集積包装される被包装物におけるバーコードが同一の位置に揃うように被包装物を整列させることを不要ならしめると共に、各被包装物のバーコードの読取を確実に妨げ、更に、集積包装フィルムに被包装物に関する商標、広告等の表示及び当該全被包装物についての単一のバーコードを美しく、かつ、見やすく表示し得るようにした集積包装フィルムを提供しようとしてなされたものである。
【課題を解決するための手段】
【００１１】
上記課題を解決するために、本発明は、下記の集積包装フィルムを提供するものである。
【００１２】
集積包装された各被包装物のバーコードの読み取りを妨げるための遮蔽手段を備えさせると共に当該全被包装物についての単一のバーコードを印刷してなる透明な集積包装フィルムにおいて、
該集積包装フィルムの内面における被包装物の側面に対応する部分には被包装物に関する商標、広告等の表示及び当該全被包装物についての単一のバーコードを印刷し、
該表示及び単一のバーコードの内側における被包装物の全側面に対応する部分には白インキ層を形成し、
該白インキ層の内側における被包装物の全側面に対応する部分にはアルミニウム粉を含む銀インキを白インキに混入してなる遮蔽インキ層を前記遮蔽手段として形成したことを特徴とする集積包装フィルム。
【発明の効果】
【００１３】
集積包装された各被包装物のバーコードの読み取りを妨げる遮蔽インキ層は、アルミニウム粉を含む銀インキを白インキに混入してなる遮蔽インキ層である。バーコードの読取装置から照射される赤外線等の照射光は、遮蔽インキ層中のアルミニウム粉により遮蔽され、あるいは乱反射するため、性能が著しく向上している今日の読取手段を用いたときでも、集積包装フィルム内の各被包装物に付せられているバーコードの読み取りが完全に妨げられる。該遮蔽手段としての遮蔽インキ層は、白インキ層の内側における被包装物の全側面に対応する部分に形成されているため、各被包装物におけるバーコードの位置にかかわらず、バーコードの読取手段による各被包装物のバーコードの読み取りが確実に妨げられる。
【００１４】
該遮蔽インキ層は、アルミニウム粉を含む銀インキを白インキに混入してなるものであるため、白に近い色を呈する。
【００１５】
被包装物に関する商標、広告等の表示及び当該全被包装物についての単一のバーコードは、透明な集積包装フィルムの内面における被包装物の側面に対応する部分に直接印刷され、内側の白インキ層を背景としているため、集積包装フィルムの外側から美しく、かつ、明瞭に見える。遮蔽インキ層は、前述の如く白に近い色を呈するため、白インキ層の白さに影響を及ぼさない。
【図面の簡単な説明】
【００１６】
【図１】図１は、本発明による集積包装フィルムの使用状態の一例を示す斜視図である。
【図２】図２は、同上集積包装フィルムを概略的に示す断面図である。
【図３】図３は、包装される前の被包装物たる缶詰とそのバーコードとを示す斜視図である。
【図４】図４は、従来の集積包装フィルムの使用状態を示す斜視図である。
【図５】図５は、従来の集積包装フィルムを概略的に示す断面図である。
【発明を実施するための形態】
【００１７】
本発明による集積包装フィルム２１は、上記従来の集積包装フィルムと同様に、集積された各被包装物３のバーコード５の読み取りを妨げるための遮蔽手段を備えると共に当該全被包装物３、３・・・についての単一のバーコードを印刷しており、該集積包装フィルム２１は透明である。
【００１８】
しかして、本発明においては、集積包装フィルム２１の内面における被包装物３、３・・・の側面３ａ、３ａ・・・に対応する部分に被包装物３、３・・・に関する商標、広告等の表示２５及び当該全被包装物についての単一のバーコード２７を印刷する。
【００１９】
該表示２５及び単一のバーコード２７の内側における被包装物３、３・・・の全側面３ａ、３ａ・・・に対応する部分には白インキ層２９を形成する。
【００２０】
該白インキ層２９の内側における被包装物３、３・・・の全側面３ａ、３ａ・・・に対応する部分にはアルミニウム粉を含む銀インキを白インキに混入してなる遮蔽インキ層３１を前記遮蔽手段として形成する。アルミニウム粉は、粒状、リーフ状、針状等、形状の如何を問わないものとする。
【００２１】
遮蔽インキ層３１を形成するために使用される銀インキは、例えば、リーフ状又は平均粒径７μm以下の粒状のアルミニウム粉をポリ塩化ビニル樹脂等のバインダー樹脂中に分散してなるものとする。遮蔽インキ層３１を形成する際には、例えば、銀インキ１５〜２５容量部を白インキ１００容量部に混入する。アルミニウム粉は、例えば、遮蔽インキ層３１全体の３〜１０重量％とする。
【００２２】
遮蔽インキ層３１全体に対するアルミニウム粉の割合が例えば３重量％未満であるときには、該遮蔽インキ層３１は集積包装フィルム内の各被包装物３に付せられているバーコード５の読み取りを妨げることができなくなるおそれがある。逆に、遮蔽インキ層３１全体に対するアルミニウム粉の割合が例えば１０重量％を超すときには、遮蔽インキ層３１の色が暗くなり、該遮蔽インキ層３１の外側にある白インキ層２９が暗く見えることになり、集積包装フィルムの外観が低下する。
【符号の説明】
【００２３】
１  フィルム
３  被包装物
３ａ  側面
５  バーコード
５’  バーコード
７  遮蔽手段
１１  色付きインキ層
１３  白インキ層
１５  バーコード
２１  本発明による集積包装フィルム
２５  商標、広告等の表示
２７  全被包装物についての単一のバーコード
２９  白インキ層
３１  遮蔽インキ層
【図１】
2018052518.tif 000003
【図２】
2018052518.tif 000004
【図３】
2018052518.tif 000005
【図４】
2018052518.tif 000006
【図５】
2018052518.tif 000007